(57)【特許請求の範囲】
【請求項１】
音信号送信装置と端末を備えた音信号連動システムであって、
前記音信号送信装置は、第一制御部と、音信号を送信する送信部とを有し、
前記端末は、第二制御部と、収音部と、出力部とを有し、
前記第一制御部は、
複数の単位期間分の出力処理の内容である第一制御要素を単位期間毎に指定した第一制御情報を、前記音信号により前記送信部から送信し、
前記第一制御情報の送信の後、前記第一制御要素から、前記第一制御要素の出力処理開始タイミング側に割当てられる一つ又は複数の単位期間の前記第一制御要素を除いた第二制御要素が含まれる第二制御情報を、前記音信号により前記送信部から送信し、
前記第二制御部は、前記収音部によって先に検出された前記第一制御情報又は前記第二制御情報のいずれかの前記音信号に対応する出力処理を前記出力部により行う、
ことを特徴とする音信号連動システム。
【請求項２】
前記第二制御部は、前記第一制御情報又は前記第二制御情報の前記音信号に対応する出力を、前記音信号の信号処理終了後、次の単位期間から行うことを特徴とする請求項１に記載の音信号連動システム。
【請求項３】
前記第一制御部は、前記第一制御要素の出力タイミングとして指定する複数の単位期間に、前記第二制御要素が出力される単位期間が一つになるまで、前記第二制御情報を複数送信することを特徴とする請求項１又は請求項２に記載の音信号連動システム。
【請求項４】
前記第一制御要素を出力させる複数単位期間は、連続していることを特徴とする請求項１乃至請求項３の何れかに記載の音信号連動システム。
【請求項５】
前記第一制御部は、
前記第一制御情報又は前記第二制御情報を含む端末制御情報を、不可聴の高周波帯域でデジタル振幅変調し、
前記デジタル振幅変調の各変調波を、対応するビット毎に間隔を開けて単位期間内に送信する、
ことを特徴とする請求項１乃至請求項４の何れかに記載の音信号連動システム。
【請求項６】
前記第一制御要素及び前記第二制御要素は発光色であり、
前記第二制御部は、前記第一制御要素又は前記第二制御要素を受信すると前記出力部により所定の色を発光させる、
ことを特徴とする請求項１乃至請求項５の何れかに記載の音信号連動システム。
【請求項７】
制御部と、音信号を送信する送信部とを有し、
前記制御部は、
複数の単位期間分の出力処理の内容である第一制御要素を単位期間毎に指定した第一制御情報を、前記音信号により前記送信部から端末に送信し、
前記第一制御情報の送信の後、前記第一制御要素から、前記第一制御要素の出力処理開始タイミング側に割当てられる一つ又は複数の単位期間の前記第一制御要素を除いた第二制御要素が含まれる第二制御情報を、前記音信号により前記送信部から前記端末に送信する、
ことを特徴とする音信号送信装置。
【請求項８】
制御部と、収音部と、出力部とを有し、
前記制御部は、
音信号送信装置から音信号により送信される、複数の単位期間分の出力処理の内容である第一制御要素を単位期間毎に指定した第一制御情報と、前記第一制御情報の送信の後に、前記第一制御要素から、前記第一制御要素の出力処理開始タイミング側に割当てられる一つ又は複数の単位期間の前記第一制御要素を除いた第二制御要素が含まれる第二制御情報とを受信し、
前記制御部は、前記収音部によって先に検出された前記第一制御情報又は前記第二制御情報のいずれかの前記音信号に対応する出力処理を前記出力部により行う、
ことを特徴とする端末。
【請求項９】
ステージフラグを記憶する記憶部と、
発光スイッチと、
を備え、
前記制御部は、
前記音信号を受信すると前記ステージフラグをＯＮに切り替え、
前記発光スイッチが操作されたことを発光スイッチ信号により検出した場合、前記ステージフラグがＯＮか否かに応じた所定の出力処理を前記出力部により行う、
ことを特徴とする請求項８に記載の端末。
【請求項１０】
前記制御部は、前記音信号を受信せず前記ステージフラグがＯＮである場合、前記音信号を最後に受信してから所定時間が経過すると前記ステージフラグをＯＦＦに切り替えることを特徴とする請求項９に記載の端末。
【請求項１１】
音信号送信装置と端末を備えた音信号連動システムにおける音信号連動方法であって、
前記音信号送信装置が、複数の単位期間分の出力処理の内容である第一制御要素を単位期間毎に指定した第一制御情報を、音信号により送信し、
前記音信号送信装置が、前記第一制御情報の送信の後、前記第一制御要素から、前記第一制御要素の出力処理開始タイミング側に割当てられる一つ又は複数の単位期間の前記第一制御要素を除いた第二制御要素が含まれる第二制御情報を、音信号により送信し、
前記端末が、収音部によって先に検出した前記第一制御情報又は前記第二制御情報のいずれかの音信号に対応する出力処理を出力部により行う、
ことを特徴とする音信号連動方法。
【発明の詳細な説明】
【技術分野】
【０００１】
本発明は、音信号連動システム、音信号送信装置、端末及び音信号連動方法に関する。
【背景技術】
【０００２】
従来から、音波を伝送信号とした音信号を用いて、各種の受信機や端末と通信する技術が提案されている。このような音信号を用いて、テレビやオーディオ機器が発する音声により視聴者が保持する玩具や端末等に応答させたり、ライブ会場等におけるスピーカからの出力音により複数の観客が持っているライトを音と連動して光らせることができる。
【０００３】
例えば、特許文献１の発光制御システムは、生成した音信号（音波）を空間に出力する発光制御装置と、音信号に応答して個別に発光可能な発光装置とを備える。その発光装置の各々は発光手段を含む。そして、各発光装置は受信した音信号の強度、周波数、又は、パターンに応じて発光手段の点灯及び消灯を制御する。
【先行技術文献】
【特許文献】
【０００４】
【特許文献１】特開２０１４−６３５９３号公報
【発明の概要】
【発明が解決しようとする課題】
【０００５】
制御装置から送信される音信号は、端末の向きや制御装置との位置関係により、障害物やフェージング等の影響で良好に受信できないことがある。また、ライブ会場や催し会場等のように複数の利用者が端末を利用する場合、全ての端末は、音信号を受信するタイミングで最適な状態にあるとは限らない。そのため、スピーカから送信された音信号は全ての端末により適切に受信されず、音信号に連動した発光等の動作を制御する場合に会場内で一体感のある演出が十分に実現されないことがある。また、音信号による連動制御は、スピーカ等の既存の設備を用いてシステムを構成することができるが、誤り制御等の再送処理を行わないため、一度受信を逃した端末は、他の端末との連携した動作を行うことができない場合がある。
【０００６】
本発明は、以上の点に鑑み、音信号により一体感のある制御を行う音信号連動システム、音信号送信装置、端末及び音信号連動方法を提供することを目的とする。
【課題を解決するための手段】
【０００７】
本発明に係る音信号連動システムは、音信号送信装置と端末を備えた音信号連動システムであって、前記音信号送信装置は、第一制御部と、音信号を送信する送信部とを有し、前記端末は、第二制御部と、収音部と、出力部とを有し、前記第一制御部は、複数の単位期間分の出力処理の内容である第一制御要素を単位期間毎に指定した第一制御情報を、前記音信号により前記送信部から送信し、前記第一制御情報の送信の後、前記第一制御要素から、前記第一制御要素の出力処理開始タイミング側に割当てられる一つ又は複数の単位期間の前記第一制御要素を除いた第二制御要素が含まれる第二制御情報を、前記音信号により前記送信部から送信し、前記第二制御部は、前記収音部によって先に検出された前記第一制御情報又は前記第二制御情報のいずれかの前記音信号に対応する出力処理を前記出力部により行う、ことを特徴とする。
【０００８】
また、前記第二制御部は、前記第一制御情報又は前記第二制御情報の前記音信号に対応する出力を、前記音信号の信号処理終了後、次の単位期間から行うことを特徴とする。
【０００９】
また、前記第一制御部は、前記第一制御要素の出力タイミングとして指定する複数の単位期間に、前記第二制御要素が出力される単位期間が一つになるまで、前記第二制御情報を複数送信することを特徴とする。
【００１０】
また、前記第一制御要素を出力させる複数単位期間は、連続していることを特徴とする。
【００１１】
また、前記第一制御部は、前記第一制御情報又は前記第二制御情報を含む端末制御情報を、不可聴の高周波帯域でデジタル振幅変調し、前記デジタル振幅変調の各変調波を、対応するビット毎に間隔を開けて単位期間内に送信する、ことを特徴とする。
【００１２】
また、前記第一制御要素及び前記第二制御要素は発光色であり、前記第二制御部は、前記第一制御要素又は前記第二制御要素を受信すると前記出力部により所定の色を発光させる、ことを特徴とする。
【００１３】
また、本発明に係る音信号送信装置は、制御部と、音信号を送信する送信部とを有し、前記制御部は、複数の単位期間分の出力処理の内容である第一制御要素を単位期間毎に指定した第一制御情報を、前記音信号により前記送信部から端末に送信し、前記第一制御情報の送信の後、前記第一制御要素から、前記第一制御要素の出力処理開始タイミング側に割当てられる一つ又は複数の単位期間の前記第一制御要素を除いた第二制御要素が含まれる第二制御情報を、前記音信号により前記送信部から前記端末に送信する、ことを特徴とする。
【００１４】
また、本発明に係る端末は、制御部と、収音部と、出力部とを有し、前記制御部は、音信号送信装置から音信号により送信される、複数の単位期間分の出力処理の内容である第一制御要素を単位期間毎に指定した第一制御情報と、前記第一制御情報の送信の後に、前記第一制御要素から、前記第一制御要素の出力処理開始タイミング側に割当てられる一つ又は複数の単位期間の前記第一制御要素を除いた第二制御要素が含まれる第二制御情報とを受信し、前記制御部は、前記収音部によって先に検出された前記第一制御情報又は前記第二制御情報のいずれかの前記音信号に対応する出力処理を前記出力部により行う、ことを特徴とする。
【００１５】
また、ステージフラグを記憶する記憶部と、発光スイッチと、を備え、前記制御部は、前記音信号を受信すると前記ステージフラグをＯＮに切り替え、前記発光スイッチが操作されたことを発光スイッチ信号により検出した場合、前記ステージフラグがＯＮか否かに応じた所定の出力処理を前記出力部により行う、ことを特徴とする。
【００１６】
また、前記制御部は、前記音信号を受信せず前記ステージフラグがＯＮである場合、前記音信号を最後に受信してから所定時間が経過すると前記ステージフラグをＯＦＦに切り替えることを特徴とする。
【００１７】
また、本発明に係る音信号連動方法は、音信号送信装置と端末を備えた音信号連動システムにおける音信号連動方法であって、前記音信号送信装置が、複数の単位期間分の出力処理の内容である第一制御要素を単位期間毎に指定した第一制御情報を、音信号により送信し、前記音信号送信装置が、前記第一制御情報の送信の後、前記第一制御要素から、前記第一制御要素の出力処理開始タイミング側に割当てられる一つ又は複数の単位期間の前記第一制御要素を除いた第二制御要素が含まれる第二制御情報を、音信号により送信し、前記端末が、収音部によって先に検出した前記第一制御情報又は前記第二制御情報のいずれかの音信号に対応する出力処理を出力部により行う、ことを特徴とする。
【発明の効果】
【００１８】
本発明に係る音信号連動システム、音信号送信装置、端末及び音信号連動方法によれば、音信号送信装置から第一制御情報及び第二制御情報が送信されるため、第一制御情報の受信が良好に行えなかった端末があった場合であっても、その端末は第二制御情報を受信すれば以降の出力動作を他の端末の出力動作と同期又は連動させて行われる。よって、音信号により一体感のある制御を行う音信号連動システム、音信号送信装置、端末及び音信号連動方法を提供することができる。
【００１９】
また、端末の制御部が、第一制御情報又は第二制御情報の音信号に対応する出力を、音信号の信号処理終了後、次の単位期間から行う音信号連動システムは、端末に指示する出力処理内容を迅速に行わせることができる。
【００２０】
また、第一制御要素の出力タイミングとして指定する複数の単位期間に、第二制御要素が出力される単位期間が一つになるまで、第二制御情報を複数送信する音信号連動システムは、端末の制御指示の受信機会が複数回確保される。したがって、出力制御の指示が受信できない端末を低減させることができ、全ての端末が同時に制御されて、より一体感のある連動制御を行うことができる。
【００２１】
また、第一制御要素を出力させる複数単位期間が、連続する音信号連動システムは、連続した一連の制御期間における出力処理の指示を、端末に行わせることができる。
【００２２】
また、第一制御情報又は前記第二制御情報を含む端末制御情報を、不可聴の高周波帯域でデジタル振幅変調し、デジタル振幅変調の各変調波を、対応するビット毎に間隔を開けて単位期間内に送信する音信号連動装置は、フェージング等の受信ノイズの影響を受けやすい環境であっても、端末による音信号の受信を良好に行うことができる。
【００２３】
また、前記第一制御要素及び前記第二制御要素は発光色であり、前記第二制御部は、前記第一制御要素又は前記第二制御要素を受信すると前記出力部により所定の色を発光させる音信号連動システムは、使用者に対し魅力のある趣向性に富んだ演出を提供することができる。
【００２４】
また、ステージフラグを記憶する記憶部と、発光スイッチと、を備え、制御部は、音信号を受信すると前記ステージフラグをＯＮに切り替え、発光スイッチが操作されたことを発光スイッチ信号により検出した場合、ステージフラグがＯＮか否かに応じた所定の出力処理を出力部により行う端末は、ステージ等における演出が行われているか否かに応じて発光処理を行うことができる。したがって、演出に応じた処理を端末に行わせることができる。
【００２５】
また、音信号を受信せずステージフラグがＯＮである場合、音信号を最後に受信してから所定時間が経過するとステージフラグをＯＦＦに切り替える端末は、演出の有無のステージフラグをＯＦＦにする特別な指示を与えなくても、ステージフラグをＯＦＦに切り替えることができる。
【図面の簡単な説明】
【００２６】
【図１】本発明の実施形態１に係る音信号連動システムを示す図である。
【図２】本発明の実施形態１に係る音信号送信装置の構成図である。
【図３】本発明の実施形態１に係る端末の構成図である。
【図４】本発明の実施形態１に係る発光パターンテーブルを示す図である。
【図５】本発明の実施形態１に係る端末制御情報の構成図である。
【図６】本発明の実施形態１に係る端末制御情報を表す音信号の波形を示す図である。
【図７】本発明の実施形態１に係る装置のフローチャートを示す図である。
【図８】本発明の実施形態１に係る端末のフローチャートを示す図である。
【図９】本発明の実施形態１に係る音信号送信装置及び端末が行う処理のタイミングチャートを示す図である。
【図１０】本発明の実施形態２に係る制御パターンテーブルを示す図である。
【図１１】本発明の実施形態３に係る制御パターンテーブルを示す図である。
【発明を実施するための形態】
【００２７】
（実施形態１）
以下、本発明に係る実施形態を図に基づいて説明する。図１は、音信号連動システム１０を示す図である。音信号連動システム１０は、音信号送信装置２０と複数の端末４０（４０−１，４０−２，４０−３，・・・，４０−ｎ）を備える。
【００２８】
本実施形態の音信号連動システム１０は、例えば、ライブ、コンサート、パレード、催し物、飲食店等の屋外又は屋内において、利用者が所持する複数の端末４０を含む環境において利用される。音信号送信装置２０としては、例えば、音響制御機器、放送送信機等のように音声を出力する装置や、テレビ受像機、ラジオ受信機、パソコン、携帯電話等のように音声データを受信して周囲に音声を出力する装置を用いることができる。音信号送信装置２０は、スピーカ３０を、本図のように外部に備えてもよいし、内部に備えてもよい。端末４０としては、本実施形態で説明する機能を予め備えたライブ用発光玩具等の専用端末や、携帯電話、スマートホン、タブレット等に専用ソフトを導入した汎用端末を用いることができる。
【００２９】
音信号送信装置２０は、音５０をスピーカ３０によりに出力する。音５０には、利用者が認識可能な周波数の可聴音と、利用者が認識できない周波数の不可聴音が含まれる。音信号送信装置２０は、利用者に対して、会場のイベントに応じた演出等で発せられる音声５１を可聴音により出力し、その演出等と連動させて各利用者が保持する端末４０の動作を制御する音信号５２を不可聴音により出力する。
【００３０】
図２は、音信号送信装置２０の構成図である。音信号送信装置２０は、制御部（第一制御部）２１、送信部２２、記憶部２５を備える。送信部２２は、音声５１や音信号５２の信号を外部に接続されたスピーカ３０に送信する。または、送信部２２を、音声５１や音信号５２を出力するスピーカとして構成してもよい。記憶部２５は、発光パターンテーブル２５１を記憶する。
【００３１】
図３は、端末４０の構成図である。端末４０は、制御部（第二制御部）４１、収音部４２、出力部４３、計時部４４、記憶部４５、入力部４６を備える。収音部４２は、音信号５２を検出する。出力部４３は、例えば、発光部、スピーカ等の放音部、駆動部等の音信号送信装置２０が音信号５２により指示する動作が可能な機能部である。本実施形態の出力部４３は、少なくとも発光部を備える。計時部４４は、ある時点からの経過時間をカウントアップする。または、計時部４４は、記憶部４５に予め設定された時間をカウントダウンし、設定された時間が満了したことを、制御部４１に検出させることができる。
【００３２】
記憶部４５は、発光パターンテーブル４５１とステージフラグ４５２を記憶する。また、入力部４６は、電源スイッチ４６１と発光スイッチ４６２を備える。発光スイッチ４６２は、例えば、押下が可能なプッシュボタンスイッチである。使用者の操作により発光スイッチ４６２が押下されると、制御部４１が発光スイッチ信号を検出して、後述の図８で説明するフローチャートに従い、発光部による発光処理が行われる。
【００３３】
図４は、音信号送信装置２０及び端末４０内に記憶される発光パターンテーブル２５１，４５１の構成図である。発光パターンテーブル２５１，４５１は、発光パターン情報４０１と制御情報４０２を対応して記憶する。制御情報４０２は、発光色情報（制御要素情報）４０３と発光タイミング情報（制御タイミング情報）４０４を含む。本実施形態では、発光パターン情報４０１として、「１」から「１２８」までのデータが記憶される。発光色情報４０３には、制御要素として端末４０に発光させる一つ又は複数の色データが記憶される。また、発光タイミング情報４０４には、発光色情報４０３の各色の発光タイミングが記憶される。
【００３４】
例えば、本図において、発光パターン情報４０１「１」に対応する発光色情報４０３には、「赤、緑、黄、紫、青」が記憶される。同様に、発光パターン情報４０１「２」に対応する発光色情報４０３には、「緑、黄、紫、青」が記憶される。また、発光パターン情報４０１「３」に対応する発光色情報４０３には、「黄、紫、青」が記憶される。このように、発光色情報４０３には、複数の色情報を一つずつ減らした一連の発光パターン情報群４１０が記憶される。なお、発光色情報４０３として、複数の色情報を一つずつ減らした結果、一つの色データを記憶させてもよい。また、発光パターンテーブル２５１，４５１には、発光パターン情報群４１０を複数記憶することができる。
【００３５】
また、発光色情報４０３として「赤、緑、黄、紫、青」が記憶されるデータでは、対応する発光タイミング情報４０４が、「音信号の処理終了後に発光」であるため、これらのデータを受信した端末４０に、信号処理終了後図の左から「赤」、「緑」、「黄」、「紫」、「青」の順に各色を発光させる指示データを意味する。
【００３６】
図５は、音信号送信装置２０が端末４０に送信する、端末制御情報５００の構成図である。端末制御情報５００は、音信号５２により伝送され、開始フラグ５０１と発光パターン情報５０２を含む。本実施形態では、端末制御情報５００は、８ビットのデジタル信号で表され、開始フラグ５０１として１ビットが、発光パターン情報として７ビットが割り当てられる。よって、図４で示したように、最大で１２８種類のデータを発光パターン情報４０１として送信することができる。つぎに、この端末制御情報５００を伝送する具体的な信号波形について説明する。
【００３７】
図６は、端末制御情報５００を伝送する音信号５２の波形を示す図である。本図において、横軸は時間を、縦軸は音波の振幅を表す。音信号５２は、例えば、１８ｋＨｚの周波数を搬送波に用いた、ＡＳＫ変調のようなデジタル振幅変調により伝送することができる。したがって、各々のビット情報に対応する各変調波は、２値の振幅Ａ１，Ａ２を有する。例えば、振幅Ａ２の変調波Ｓ１，Ｓ８はデータ「１」を表し、振幅Ａ２より小さい振幅Ａ１の変調波Ｓ２〜７は、データ「０」を表す。したがって、本図に示す音信号５２は、８ビット分のデータ「１００００００１」の信号を表す。なお、変調方式としては、振幅変調、周波数変調、位相変調、又はこれらを組み合わせた他の変調方式を用いることができる。
【００３８】
また、端末制御情報５００の８ビットのデータのうち、先頭の変調波Ｓ１は開始フラグ５０１のビットに対応しており、それ以降の変調波Ｓ２〜Ｓ８は発光パターン情報５０２のビットに対応している。各変調波Ｓ１〜Ｓ８は、所定の出力間隔Ｔ２，Ｔ４をあけて送信される。また、開始フラグ５０１に対応する変調波Ｓ１の出力時間Ｔ１は、他の発光パターン情報５０２に対応する変調波Ｓ２〜Ｓ８の出力時間Ｔ３と比べ長くしている。そのため、出力間隔Ｔ２は、出力間隔Ｔ４よりも短い間隔としている。また、端末制御情報５００の８ビット分の変調波Ｓ１〜Ｓ８は、予め定められた単位期間Ｔ１０の間に送信される。この単位期間Ｔ１０は、例えば、約１秒とすることができる。
【００３９】
図７は、音信号送信装置２０のフローチャートを示す図である。処理が開始すると、まず、ステップＳ７０１で、制御部（第一制御部）２１は、記憶部２５の発光パターンテーブル２５１を参照し、発光パターン情報４０１を取得する。いずれの発光パターン情報４０１をどのタイミングで取得するかは、予め記憶部２５に設定された手順に従い定めることができる。詳細は図９の説明で後述する。
【００４０】
ステップＳ７０３で、制御部２１は、取得した発光パターン情報４０１に開始フラグ５０１を付した端末制御情報５００を、送信部２２から送信する。送信された端末制御情報５００は、音信号送信装置２０の送信部２２と接続されたスピーカ３０から、音信号５２により送信される。
【００４１】
なお、記憶部２５に発光パターンテーブル２５１を有しない構成とした場合では、制御部２１は、ステップＳ７０１の処理を行わず、記憶部２５に予め記憶された内容の発光パターン情報を、適宜のタイミング及び順番で送信することができる。
【００４２】
図８は、端末４０のフローチャートを示す図である。処理が開始すると、まず、制御部（第二制御部）４１は、ステージフラグ４５２を「ＯＦＦ」に設定する等の所定の初期設定を行う。ステップＳ８０１で、制御部４１は、音信号５２を検出したか判定する。音信号５２を検出した場合（Ｓ８０１，Ｙ）、制御部４１は、ステップＳ８０３で、音信号５２に含まれる端末制御情報５００から、発光パターン情報５０２を取得する。ステップＳ８０５で、制御部４１は、発光パターンテーブル４５１を参照して、取得した発光パターン情報５０２に対応する制御情報４０２に従い、出力部４３の発光部を発光させる。例えば、音信号送信装置２０から送られた発光パターン情報５０２が「１」である場合、制御部４１は、図４において対応する発光色情報４０３が「赤、緑、黄、紫、青」であり、発光タイミング情報４０４が「音信号の処理終了後に発光」であるため、発光パターン情報５０２（４０１）に対応する制御情報４０２を取得後、音信号の信号処理の終了の後、直ちに「赤、緑、黄、紫、青」の色を発光させる。なお、本実施形態では、図４の発光色情報４０３の「、」で区切って示した「赤」、「緑」、「黄」、「紫」、「青」の各色を順に発光させる。
【００４３】
ステップＳ８０７で、制御部４１は、記憶部４５にあるステージフラグ４７を「ＯＮ」に切り替える。ステップＳ８０７の処理が終わると、制御部４１は、ステップＳ８０１の処理に戻る。
【００４４】
ステップＳ８０１で、音信号５２を検出しない場合（Ｓ８０１，Ｎ）、制御部４１は、ステップＳ８０９の処理へ進む。ステップＳ８０９で、制御部４１は、端末４０の発光スイッチ４６２が使用者に操作されたことによる発光スイッチ信号を検出したか判定する。発光スイッチ信号を検出した場合（Ｓ８０９，Ｙ）、制御部４１は、ステップＳ８１１で、記憶部４５を参照し、ステージフラグ４５２が「ＯＮ」であるか判定する。ステージフラグ４５２が「ＯＮ」の場合、制御部４１は、ステップＳ８１３の処理へ進む。ステップＳ８１３で、制御部４１は、催しの演出等に合わせた所定の発光処理を行う。ステップＳ８１３では、ステージフラグ４５２が「ＯＮ」であることにより、会場等の環境においてなんらかの演出行われていることが想定される。そのため、ステップＳ８１３の発光処理では、例えば、制御部４１は、出力部４３の発光部を「予め定められた発光色でほんわり灯いてすぐ消える」等、周囲の演出との一体感を妨げないような出力処理を行う。発光スイッチ４６２が使用者により操作されても無反応とされる設定の場合には、故障と誤認することがある。よって、このように発光させれば、使用者が端末４０の故障と誤認することを防ぐことができる。
【００４５】
ステップＳ８１５で、制御部４１は、ステップＳ８０１において音信号５２を受信してから５分が経過したか計時部４４を参照して判定を行う。制御部４１は、５分が経過していない場合は（Ｓ８１５，Ｎ）、ステップＳ８０１の処理に戻り、５分が経過していた場合は（Ｓ８１５，Ｙ）、ステップＳ８１７においてステージフラグ４５２を「ＯＦＦ」に切り替えて、ステップＳ８０１の処理に戻る。
【００４６】
また、ステップＳ８１１において、ステージフラグ４５２が「ＯＮ」でない場合、制御部４１は、ステップＳ８１９の処理へ進む。ステップＳ８１９で、制御部４１は、外部の演出に関わらず個別の発光処理を行う。例えば、ステップＳ８１９で、制御部４１は、「３種類の色を順に、各々３秒間ずつ点灯」させるように出力部４３の発光部を制御することができる。ステップＳ８１９の処理が終了すると、制御部４１は、ステップＳ８０１の処理に戻る。
【００４７】
ステップＳ８０９において、発光スイッチ信号を検出しない場合（Ｓ８０９，Ｎ）、制御部４１は、ステップＳ８２１の処理へ進む。ステップＳ８２１で、制御部４１は、ステージフラグ４５２が「ＯＮ」であるか判定する。制御部４１は、ステージフラグ４５２が「ＯＮ」でない場合（Ｓ８２１，Ｎ）、ステップＳ８０１の処理に戻り、ステージフラグ４５２が「ＯＮ」である場合（Ｓ８２１，Ｙ）、ステップＳ８２３の処理へ進む。ステップＳ８２３で、制御部４１は、ステップＳ８０１において音信号５２を受信してから５分が経過したか計時部４４を参照して判定を行う。制御部４１は、５分が経過していない場合は（Ｓ８２３，Ｎ）、ステップＳ８０１の処理に戻り、５分が経過していた場合は（Ｓ８２３，Ｙ）、ステップＳ８２５においてステージフラグ４５２を「ＯＦＦ」に切り替えて、ステップＳ８０１の処理に戻る。
【００４８】
なお、制御部４１は、ステップＳ８０５の発光処理を終えてからステップＳ８０７の処理に進むことができるため、発光処理中に他の音信号５２を検出しても、先に検出した音信号５２により送られた制御情報４０２に従い出力処理を行うことができる。
【００４９】
なお、ステップＳ８０５，Ｓ８１３，Ｓ８１９では、各ステップに対応した放音処理や振動等の駆動処理を予め定めておき、発光処理とともに実行してもよい。
【００５０】
また、制御部４１は、最後に音信号５２又は入力信号を受信してから所定の時間経過した場合、端末４０の電源を切る終了処理を行うようにしてもよい。こうすることで端末４０の電力消費を低減させることができる。
【００５１】
図９は、音信号送信装置２０及び端末４０が行う処理のタイミングチャートを示す図である。本図では音信号送信装置２０が送信する音信号９０１、各端末４０が受信した音信号９０２及び発光処理９０３のタイミングを示す。音信号送信装置２０は、複数の端末４０に対し、所望の制御期間Ｔ２０に任意の色を発光するよう、制御情報４０２に対応する発光パターン情報４０１を含む端末制御情報５００ａ，５００ｂ，５００ｃ（５００）を、音信号９０１（５２）により送信する。本図の例では、制御期間Ｔ２０は、５つの単位期間Ｔ１２〜１６により構成される。そして、発光部を各単位期間Ｔ１２〜１６に、それぞれ「赤」、「緑」、「黄」、「紫」、「青」の色を順に発光させるように制御を行う。
【００５２】
まず、音信号送信装置２０は、図４に示す発光パターン情報４０１「１」を含む端末制御情報５００ａを単位期間Ｔ１１に各端末４０−１，４０−２，４０−３に対して送信する。端末４０−１では、受信環境が良好であるために、端末制御情報５００ａが検出される。また、端末４０−２，４０−３では、受信環境が良好ではなかったり電源がＯＦＦである等により、端末制御情報５００ａが検出されない。ここで受信環境とは、端末４０の向き等の姿勢により、又は、スピーカ３０と収音部４２との間の距離や障害物の有無等により影響を受ける、音信号５２の検出に適した環境をいう。したがって、端末４０−１は、検出した端末制御情報５００ａに含まれる発光パターン情報４０１「１」が、発光色情報４０３「赤、緑、黄、紫、青」及び発光タイミング情報４０４「音信号の処理終了後に発光」に対応することに基づき、以降の各単位期間Ｔ１２〜１６において、各々「赤」、「緑」、「黄」、「紫」、「青」の色を順に発光させる。
【００５３】
単位期間Ｔ１１の次の単位期間Ｔ１２では、音信号送信装置２０は、図４に示す発光パターン情報４０１「２」を含む端末制御情報５００ｂを各端末４０−１，４０−２，４０−３に対して送信する。端末４０−１，４０−２では、端末制御情報５００ｂが検出される。また、端末４０−３では、端末制御情報５００ｂが検出されない。端末４０−１は、単位期間Ｔ１１において、端末制御情報５００ａが検出できているため、制御期間Ｔ２０が終わるまではその端末制御情報５００ａの検出によって指定された発光内容で発光処理が行われる。そのため、端末制御情報５００ｂの検出に基づく発光処理は行われない。一方、単位期間Ｔ１１で端末制御情報５００ａを検出できなかった端末４０−２は、受信した端末制御情報５００ｂに含まれる発光パターン情報４０１「２」が、発光色情報４０３「緑、黄、紫、青」及び発光タイミング情報４０４「音信号の処理終了後に発光」に対応することに基づき、以降の各単位期間Ｔ１３〜１６において、各々「緑」、「黄」、「紫」、「青」の色を順に発光させる。
【００５４】
単位期間Ｔ１２の次の単位期間Ｔ１３では、音信号送信装置２０は、図４に示す発光パターン情報４０１「３」を含む端末制御情報５００ｃを各端末４０−１，４０−２，４０−３に対して送信する。端末４０−３では、端末制御情報５００ｃが検出される。また、端末４０−１，４０−２では、端末制御情報５００ｃが検出されない。単位期間Ｔ１１，Ｔ１２で端末制御情報５００ａ，５００ｂを検出できなかった端末４０−３は、検出した端末制御情報５００ｃに含まれる発光パターン情報４０１「３」が、発光色情報４０３「黄、紫、青」及び発光タイミング情報４０４「音信号の処理終了後に発光」に対応することに基づき、以降の各単位期間Ｔ１４〜１６において、各々「黄」、「紫」、「青」の色を順に発光させる。
【００５５】
このように発光パターン情報群４１０に含まれる複数の発光パターン情報４０１を順次送ることで、一連の発光処理の指示内容が複数回送信されるため、端末４０側に指示内容の検出の機会を多く与えることができる。
【００５６】
なお、本実施形態では、音信号送信装置２０が発光タイミング情報４０４を送信し、端末４０に「音信号の処理終了後に発光」するように指定したが、これに限らず、端末４０がデフォルトとして、検出した発光色情報４０３の各色を音処理終了後直ちに発光するようにしてもよい。
【００５７】
なお、音信号送信装置２０は、各色の発光タイミングとして指定する複数の単位期間Ｔ１２〜Ｔ１６に、制御要素である色が出力される単位期間が一つになるまで、端末制御情報５００を複数送信することができる。すなわち、音信号送信装置２０は、以降の各単位期間Ｔ１４，Ｔ１５においても、夫々発光色情報４０３「紫、青」及び発光色情報４０３「青」に対応する発光パターン情報４０１を、端末４０に対して送信することができる。
【００５８】
また、音信号送信装置２０は、一部の単位期間に、端末制御情報５００を送信してもよい。例えば、音信号送信装置２０は、各端末４０に対して、単位期間Ｔ１１に端末制御情報５００ａを、及び単位期間Ｔ１３に端末制御情報５００ｃを送信することができる。よって、端末４０側の音信号５２の受信感度が良好であるような場合等では、音信号５２の放音処理の頻度を下げて処理の負荷を低減させることができる。
【００５９】
このように、音信号送信装置２０は、複数の単位期間Ｔ１２〜Ｔ１６分の出力処理の内容である発光色（第一制御要素）を単位期間毎に指定した制御情報４０２（第一制御情報）を含む端末制御情報５００ａを、音信号５２により送信する。そして、音信号送信装置２０は、端末制御情報５００ａの送信の後、端末制御情報５００ａの発光色（第一制御要素）から、出力処理開始タイミング側に割当てられる単位期間（Ｔ１２又はＴ１２，Ｔ１３）の発光色を除いた発光色が含まれる制御情報４０２（第二制御情報）を、他の端末制御情報５００ｂ，５００ｃとして音信号５２により送信する。よって、端末４０は、収音部４２によって先に検出された端末制御情報５００ａ，５００ｂ，５００ｃのいずれかに対応する出力処理を出力部４３により行う。
【００６０】
また、他の端末制御情報５００ｂ，５００ｃに含まれる発光タイミング情報４０４（第二制御タイミング情報）は、端末制御情報５００ａの発光色（第一制御要素）のうち、残った発光色（第二制御要素）が端末制御情報５００ａに含まれる発光タイミング情報４０４（第一制御タイミング情報）において出力タイミングとして指定されていたタイミングを、その残った発光色の発光タイミングとすることができる。
【００６１】
（実施形態２）
つぎに、本発明の実施形態２について説明する。図１０は、制御パターンテーブル２５１ａ，４５１ａを示す図である。本実施形態では、実施形態１の発光パターンテーブル２５１，４５１の代わりに、制御パターンテーブル２５１ａ，４５１ａが音信号送信装置２０と端末４０の各記憶部２５，４５に記憶される。
【００６２】
制御パターンテーブル２５１ａ，４５１ａは、制御パターン情報４０１ａと制御情報４０２ａを対応して記憶する。制御情報４０２ａは、制御要素情報４０３ａと制御タイミング情報４０４ａを含む。本実施形態では、制御パターン情報４０１ａに対応する情報として、制御要素情報４０３ａには、端末４０が制御する一つ又は複数の制御要素である発光色、音及び動作等の制御対象となる要素が記憶される。例えば、制御パターン情報４０１ａ「１」に対応する制御要素情報４０３ａは、図９に示す連続した５つの単位期間Ｔ１２〜Ｔ１６の制御内容に対応しており、単位期間Ｔ１２に「赤」を発光するとともに「音１」を放音し、単位期間Ｔ１３に「緑」を発光するとともに「音２」を放音し、単位期間Ｔ１４に「黄」を発光させるとともに「振動」動作を行う。続く単位期間Ｔ１５では「紫」を発光し、単位期間Ｔ１６では「青」を発光する。
【００６３】
このような制御内容を端末４０に行わせる場合、図９のタイミングチャートにおいて、音信号送信装置２０は、各単位期間Ｔ１０〜Ｔ１２に夫々異なる端末制御情報５００ａ，５００ｂ，５００ｃを送信することができる。各端末制御情報５００ａ，５００ｂ，５００ｃには、各々制御パターン情報４０１ａ「１」、制御パターン情報４０１ａ「２」、及び制御パターン情報４０１ａ「３」を送信する。よって、各端末４０−１，４０−２，４０−３は、端末制御情報５００をいずれかのタイミングに受信すれば、以降の単位期間Ｔ１２〜Ｔ１６に、制御情報４０２ａで指定された出力処理を行う。
【００６４】
このように本実施形態の音信号送信装置２０は、端末４０に対して、発光処理の他に音の出力や駆動制御を行うことができる。
【００６５】
（実施形態３）
つぎに、本発明の実施形態３について説明する。図１１は、制御パターンテーブル２５１ｂ，４５１ｂを示す図である。本実施形態では、実施形態１の発光パターンテーブル２５１，４５１の代わりに、制御パターンテーブル２５１ｂ，４５１ｂが音信号送信装置２０と端末４０の各記憶部２５，４５に記憶される。
【００６６】
制御パターンテーブル２５１ｂ，４５１ｂは、制御パターン情報４０１ｂと制御情報４０２ｂを対応して記憶する。本実施形態では、制御情報４０２ｂは、発光色情報４０３ｂと制御タイミング情報４０４ｂを含む。実施形態１及び実施形態２と異なり、本実施形態では、発光色情報４０３ｂを表す制御パターン情報４０１ｂと、制御タイミング情報４０４ｂを表す制御パターン情報４０１ｂは、別のデータとして記憶される。発光色情報４０３ｂを表す制御情報４０２ｂに対応する制御パターン情報４０１ｂとしては、「１」〜「３２」の番号が記憶され、５ビットが割り当てられる。制御タイミング情報４０４ｂを表す制御情報４０２ｂに対応する制御パターン情報４０１ｂとしては、「１」〜「４」の番号が記憶され、２ビットが割り当てられる。よって、本実施形態において、図５で示した端末制御情報５００は、発光パターン情報４０１の代わりに、発光色情報４０３ｂ及び制御タイミング情報４０４ｂの各々に対応する制御パターン情報４０１ｂが割り当てられる。
【００６７】
発光色情報４０３ｂを表す制御情報４０２ｂには、制御要素として色が記憶される。また、制御タイミング情報４０４ｂを表す制御情報４０２ｂには、発光色情報４０３ｂで指定された色の発光タイミングが記憶される。
【００６８】
例えば、端末４０は、図５に示した端末制御情報５００において、発光パターン情報５０２の代わりに、発光色情報４０３ｂの制御パターン情報４０１ｂ「１」と、制御タイミング情報４０４ｂの制御パターン情報４０１ｂ「１」を検出すると、対応する制御情報４０２ｂは、「赤、緑、黄、紫、青」及び「１単位期間毎に発光」であるため、「赤」、「緑」、「黄」、「紫」、「青」の各色を順に単位期間毎に切り替えて発光させる。同様に、端末４０は、図５に示した端末制御情報５００において、発光パターン情報５０２の代わりに、発光色情報４０３ｂの制御パターン情報４０１ｂ「１」と、制御タイミング情報４０４ｂの制御パターン情報４０１ｂ「２」を検出すると、対応する制御情報４０２ｂは、「赤、緑、黄、紫、青」及び「２単位期間毎に発光」であるため、「赤」、「緑」、「黄」、「紫」、「青」の各色を順に２つの単位期間毎に切り替えて発光させる。
【００６９】
このように、発光期間の長さを複数用意した制御タイミング情報４０４ｂを用いることで、音信号送信装置２０は、任意の発光色情報４０３ｂと組み合わせて発光させる長さを指定することができる。
【００７０】
また、端末４０は、発光パターン情報５０２の代わりに、発光色情報４０３ｂの制御パターン情報４０１ｂ「１」と、制御タイミング情報４０４ｂの制御パターン情報４０１ｂ「３」を検出すると、対応する制御情報４０２ｂは、「赤、緑、黄、紫、青」及び「２単位期間後」である。そのため、端末４０は、端末制御情報５００を検出後２つの単位期間経過後、「赤」、「緑」、「黄」、「紫」、「青」の各色を順に切り替えて発光させる。
【００７１】
同様に、端末４０は、発光パターン情報５０２の代わりに、発光色情報４０３ｂの制御パターン情報４０１ｂ「１」と、制御タイミング情報４０４ｂの制御パターン情報４０１ｂ「４」を検出すると、対応する制御情報４０２ｂは、「赤、緑、黄、紫、青」及び「１単位期間後」である。そのため、端末４０は、端末制御情報５００を検出後次の単位期間から、「赤」、「緑」、「黄」、「紫」、「青」の各色を順に切り替えて発光させる。
【００７２】
このような制御タイミング情報４０４ｂを発光色情報４０３ｂと共に送信することで、複数の端末４０に対して、発光を開始させる前の早いタイミングで予め制御内容を指定しておくことができる。また、発光開始前に複数回の制御内容を送信しておくことができるため、受信環境の良くない端末４０があった場合であっても、端末制御情報５００の受信機会を複数回確保することができ、制御の精度を高めることができる。
【符号の説明】
【００７３】
１０  音信号連動システム
２０  音信号送信装置                    ２１  制御部
２２  送信部                            ２５  記憶部
３０  スピーカ
４０，４０−１，４０−２，４０−３  端末
４１  制御部                            ４２  収音部
４３  出力部                            ４４  計時部
４５  記憶部                            ４６  入力部
４７  ステージフラグ                    ５０  音
５１  音声                              ５２  音信号
２５１  発光パターンテーブル
２５１ａ，２５１ｂ  制御パターンテーブル
４０１  発光パターン情報
４０１ａ，４０１ｂ  制御パターン情報
４０２，４０２ａ，４０２ｂ  制御情報
４０３，４０３ｂ  発光色情報（第一制御要素情報，第二制御要素情報）
４０３ａ  制御要素情報
４０４  発光タイミング情報（第一制御タイミング情報，第二制御タイミング情報）
４０４ａ,４０４ｂ  制御タイミング情報
４１０，４１０ｂ，  発光パターン情報群
４１０ａ  制御パターン情報群
４５１  発光パターンテーブル
４５１ａ，４５１ｂ  制御パターンテーブル
４５２  ステージフラグ
４６１  電源スイッチ
４６２  発光スイッチ
５００，５００ａ，５００ｂ，５００ｃ  端末制御情報
５０１  開始フラグ
５０２  発光パターン情報
９０１，９０２  音信号
９０３  発光処理
Ａ１，Ａ２  振幅
Ｓ１〜Ｓ８  変調波
Ｔ１〜Ｔ４  出力時間
Ｔ１０〜Ｔ１６  単位期間
【図１】
0006557902.tif 000002
【図２】
0006557902.tif 000003
【図３】
0006557902.tif 000004
【図４】
0006557902.tif 000005
【図５】
0006557902.tif 000006
【図６】
0006557902.tif 000007
【図７】
0006557902.tif 000008
【図８】
0006557902.tif 000009
【図９】
0006557902.tif 000010
【図１０】
0006557902.tif 000011
【図１１】
0006557902.tif 000012